(57)【要約】【課題】ウェイト部の荷重を銜持部に対する負荷として効果的に作用させることができて、顔面筋の優れた鍛錬効果を得ることができる顔面筋鍛錬具用のマウスピースを提供する。【解決手段】口唇によって銜えられる銜持部２４と、ウェイト部２５と、その銜持部２４とウェイト部２５との間に介在された弾性板２２と、その弾性板の外周に形成された被覆部２３とを備えた顔面筋鍛錬具に用いられるマウスピース２８であって、そのマウスピース２８は前記被覆部２３に形成された突出部に着脱可能に取り付けられる。【選択図】図１
2014087683.tif 000002
【特許請求の範囲】
【請求項１】
口に銜えられる顔面筋鍛錬具に対して凹凸の嵌合関係で着脱可能に装着できるように構成したマウスピース。
【請求項２】
中空形状をなし、顔面筋鍛錬具の突出部に対して装着される請求項１に記載のマウスピース。
【請求項３】
前記突出部の外周面の凹凸に係合可能な凹凸部を内周面に形成した請求項２に記載のマウスピース。
【請求項４】
口によって銜えられる窪み部を外周面に形成した請求項２または３に記載のマウスピース。
【請求項５】
前記突出部より軟質の合成樹脂によって形成された請求項２〜４のうちのいずれか一項に記載のマウスピース。
【発明の詳細な説明】
【技術分野】
【０００１】
この発明は、人体の顔面における表情筋等の顔面筋を鍛錬することに用いられる顔面筋鍛錬具に関するものであって、この鍛錬具に用いられるマウスピースに関するものである。
【背景技術】
【０００２】
従来、この種の顔面筋鍛錬具としては、例えば特許文献１に開示されるような構成が提案されている。この従来構成においては、板バネよりなる帯状の弾性板の中央部の表裏両面に、口唇によって銜えられる銜持部が設けられている。弾性板の両端部には、一対のウェイト部が固定されている。そして、この顔面筋鍛錬具の銜持部を口唇により銜えた状態で、板バネを介して両ウェイト部を上下に揺動させる。このようにすると、両ウェイト部の揺動に対する反発力が銜持部に伝達されて、表情筋等の顔面筋が鍛えられる。
【先行技術文献】
【特許文献】
【０００３】
【特許文献１】意匠登録第１２２３２８９号公報
【発明の概要】
【発明が解決しようとする課題】
【０００４】
ところが、この従来の顔面筋鍛錬具においては、銜持部が両ウェイト部間を結ぶ領域に設けられている。このため、ウェイト部の荷重が顔面筋の鍛錬に対する負荷として効果的に作用せず、顔面筋の優れた鍛錬効果を得ることができないという問題があった。
【０００５】
この発明は、口の大きさや形が異なる使用者であっても、１つの顔面筋鍛錬具を共用できるようにすることにある。
【課題を解決するための手段】
【０００６】
本発明のマウスピースは、口に銜えられる顔面筋鍛錬具に対して凹凸の嵌合関係で着脱可能に装着できるように構成したものである。
【発明の効果】
【０００７】
本発明によれば、大きさの異なった複数のマウスピースを用意することにより、使用者の口の大きさに応じてマウスピースを交換して使用することができる。
【図面の簡単な説明】
【０００８】
【図１】顔面筋鍛錬具を示す平面図。
【図２】図１の顔面筋鍛錬具の正面図。
【図３】同顔面筋鍛錬具の拡大側面図。
【図４】図２の４−４線における拡大断面図。
【図５】図１の５−５線における部分拡大断面図。
【図６】図４においてマウスピースを取り外した状態を示す分解断面図。
【図７】図５においてウェイトを取り外した状態を示す部分拡大断面図。
【図８】マウスピースを拡大して示す斜視図。
【図９】図１の顔面筋鍛錬具の使用状態を示す斜視図。
【図１０】変更例を示す斜視図。
【図１１】別の変更例を示す斜視図。
【発明を実施するための形態】
【０００９】
以下に、実施形態を図１〜図９に従って説明する。
図１〜図３に示すように、顔面筋鍛錬具２１は、鋼板製の板バネよりなる直線帯状の弾性板２２を備えている。弾性板２２の外周には、合成樹脂よりなる被覆部２３が形成されている。弾性板２２上には、被覆部２３の成形時に合成樹脂の進入を許容するための複数の貫通孔２２１が形成されている。被覆部２３の前面中央部には、口唇によって銜えられる銜持部２４が突設されている。被覆部２３の両端部には、一対のウェイト部２５が設けられている。この場合、前記銜持部２４は、両ウェイト部２５の荷重によって形成される重心の位置、つまりその重心を通るように両ウェイト部２５を結ぶ直線２６１上の位置から前方（使用者側）に変位させて配置されている。しかも、銜持部２４は両ウェイト部２５の後述のウェイト３０の幅端間を結ぶ２本の直線２６２よりも外側に位置している。
【００１０】
図４、図６及び図８に示すように、前記銜持部２４は、被覆部２３の前面中央部に埋設されたコア２７と、そのコア２７に着脱可能に取り付けられたマウスピース２８とを備えている。コア２７は、被覆部２３と同質または被覆部２３よりも硬質の合成樹脂により形成されている。コア２７の外周面には、マウスピース２８を掛止して保持するための凹凸部２７１が形成されている。マウスピース２８は、コア２７よりも軟質の合成樹脂により中空状をなすように形成されている。
【００１１】
図４、図６及び図８に示すように、前記マウスピース２８の内周面には、コア２７の凹凸部２７１に係合可能な凹凸部２８１が形成されている。マウスピース２８の外周面の中央部には、口唇によって銜えられる窪み部２８２が形成されている。この窪み部２８２は、前記直線２６２の外側に位置している。マウスピース２８の外周面の先端部には、凹部２８３が形成されている。マウスピース２８の先端面には、球面状の凸部２８４が形成されている。そして、この実施形態においては、外形寸法等の異なった複数のマウスピース２８が用意され、使用者の口の大きさや形等に応じて適当なマウスピース２８を選択して、コア２７の外側に対し自体の弾性に抗して着脱可能に嵌着するようになっている。
【００１２】
図５及び図７に示すように、前記被覆部２３の両端位置に保持孔２９が形成されている。前記両ウェイト部２５は、この保持孔２９に着脱可能に取り付けられたウェイト３０より構成されている。ウェイト３０は、被覆部２３よりも硬質の合成樹脂により形成されている。ウェイト３０の外周面には、保持孔２９の凸部２９１に係合可能な凹部３０１が形成されている。この凸部２９１と凹部３０１との係合により、ウェイト３０が保持孔２９内において着脱可能に保持される。ウェイト３０の内部には、重量を持たせるための板状の金属材３０２が埋設されている。そして、この実施形態においては、金属材３０２の大きさや密度，金属材３０２の材質の変更により重さを異ならせた複数のウェイト３０が用意され、使用状況に応じて任意のウェイト３０を選択して保持孔２９に着脱可能に取り付けるようになっている。
【００１３】
次に、前記のように構成された顔面筋鍛錬具の作用を説明する。
この顔面筋鍛錬具２１を使用する場合には、被覆部２３から突設されたコア２７に所定の外形寸法のマウスピース２８を取り付ける。それとともに、両ウェイト部２５の保持孔２９に必要な重さのウェイト３０を取り付ける。この状態で、図９に示すように、銜持部２４を口唇に銜えて顔を上下に往復動させる。すると、板バネよりなる弾性板２２を介して両ウェイト部２５が上下に揺動され、その揺動の反発力が銜持部２４に伝達される。これによって、顔面における表情筋等の顔面筋が鍛えられる。この場合、図１に示すように、銜持部２４が両ウェイト部２５の荷重によって形成される重心の位置、すなわち両ウェイト部２５を結ぶ直線２６１上の位置から前方に、しかも両ウェイト部２５の両幅端を結ぶ直線２６２から外側へ変位した位置に配置されている。このため、顔面筋鍛錬具２１が片持ち状態で口唇に銜えられることになり、口唇に対する荷重負担が大きくなる。従って、ウェイト部２５の荷重が顔面筋に対する負荷として効率よく作用して、顔面筋が効果的に鍛えられる。
【００１４】
また、この顔面筋鍛錬具２１を異なった使用者が使用する場合には、コア２７に対して外形寸法等の異なったマウスピース２８を脱着によって交換することにより、口の大きさや形が異なる使用者であっても、１つの顔面筋鍛錬具２１を共用することができる。
【００１５】
さらに、顔面筋の強さや鍛錬度合いに応じて、ウェイト部２５の保持孔２９内のウェイト３０を重さの異なった別のウェイト３０に交換すれば、ウェイト部２５の重さを使用状況に応じて調節することができる。
【００１６】
従って、この実施形態によれば、以下のような効果を得ることができる。
（１）この顔面筋鍛錬具においては、口唇によって銜えられる銜持部２４と、ウェイト部２５と、その銜持部２４とウェイト部２５との間に介在された弾性板２２とが備えられている。前記銜持部２４は、前記ウェイト部２５の荷重によって形成される重心の位置から変位した位置に配置されている。
【００１７】
このため、この顔面筋鍛錬具２１の使用時には、銜持部２４を口唇により銜えた状態で、弾性板２２を介してウェイト部２５を上下に揺動させる。すると、ウェイト部２５の揺動に対する反発力が銜持部２４に伝達されて、表情筋等の顔面筋が鍛えられる。このとき、銜持部２４がウェイト部２５の荷重によって形成される重心の位置から変位した位置に配置されている。このため、顔面筋鍛錬具２１が片持ち状態で銜えられて、ウェイト部２５の荷重が口唇，すなわち顔面筋に対する負荷として効果的に作用して、顔面筋を有効に鍛えることができる。
【００１８】
（２）この顔面筋鍛錬具においては、前記弾性板２２が板バネによって構成されている。このため、板バネよりなる弾性板２２の弾性変形によりウェイト部２５を効果的に揺動させることができる。
【００１９】
（３）この顔面筋鍛錬具においては、前記ウェイト部２５が弾性板２２の両端位置に設けられている。このため、両ウェイト部２５の揺動により顔面筋に対して高負荷を付与することができる。
【００２０】
（４）この顔面筋鍛錬具においては、前記ウェイト部２５が重さ調節可能に構成されている。このため、使用状況に応じてウェイト部２５の重さを調節することにより、顔面筋に対する負荷値を任意に変更することができる。
【００２１】
（５）この顔面筋鍛錬具においては、前記弾性板２２を被覆する被覆部２３が設けられている。そして、銜持部２４がその被覆部２３に突設されている。このため、銜持部２４を弾性板２２上において、ウェイト部２５の重心位置から変位した位置に容易に配設することができる。
【００２２】
（６）この顔面筋鍛錬具においては、前記銜持部２４が被覆部２３から突設されている。このため、銜持部２４が板状をなす場合とは異なり、銜えやすい。これに対し、銜持部が板状をなす場合は、銜えにくいばかりでなく、銜持部が唇の端に当たってその唇の端が痛くなったり、使用者の歯並びの状態によっては歯の周囲の歯茎等が痛くなったりする。
【００２３】
（７）この顔面筋鍛錬具においては、前記銜持部２４が、被覆部２３に形成されたコア２７と、そのコア２７に着脱可能に取り付けられたマウスピース２８とにより構成されている。このため、大きさの異なった複数のマウスピース２８を用意することにより、使用者の口の大きさに応じてマウスピース２８を交換して便利に使用することができる。
【００２４】
（８）この顔面筋鍛錬具においては、前記ウェイト部２５が、被覆部２３に形成された保持孔２９と、その保持孔２９に着脱可能に取り付けられたウェイト３０とより構成されている。このため、重さの異なった複数のウェイト３０を用意して、任意のウェイト３０を保持孔２９に着脱可能に取り付けることにより、鍛錬度合い等に応じてウェイト部２５の重さを簡単に調節することができる。
【００２５】
（変更例）
なお、前記実施形態は以下のように変更して具体化することも可能である。
・図１０に示す構成では、銜持部２４が、被覆部２３の前面中央に突出形成された球体状のコア２７と、そのコア２７に着脱可能に取り付けられた球面袋状のマウスピース２８とより構成されている。
【００２６】
・ウェイト３０を省略し、被覆部２３の両端部を大きくあるいは厚くし、または大きくかつ厚くしてウェイト部を被覆部２３と一体に形成してもよい。ウェイト部を大きくした場合は、そのウェイト部の揺動によってウェイト部が大きな空気抵抗を受ける。この空気抵抗が口唇に対する負荷になるため、有効な鍛錬効果を得ることができる。
【００２７】
・前記実施形態において、銜持部２４を構成するマウスピース２８の外周面の凹部２８３及び先端面の凸部２８４を省略してもよい。
・図１１に示すように、弾性板２２を被覆する被覆部２３を設けることなく、合成樹脂よりなる銜持部２４を弾性板２２に直接固定するとともに、ウェイト部２５を構成するウェイト３０を弾性板２２に直接固定すること。この場合、銜持部２４やウェイト３０の固定は、ネジを用いたり、銜持部２４やウェイト３０に形成した突起を弾性板２２の孔に嵌合したりすることによって行なわれる。また、ウェイト３０は、全体を金属材のみによって構成しても、第１実施形態のように合成樹脂材に対して着脱可能に構成してもよい。さらに、ウェイト３０を弾性板２２の端部を所要重量となるように巻回したり、折り曲げたり、あるいは大面積にしたりすることによって構成してもよい。
【符号の説明】
【００２８】
２１…顔面筋鍛錬具、２２…弾性板、２２２…コーナ部、２３…被覆部、２４…銜持部、２５…ウェイト部、２６…重心位置としての直線、２７…コア、２８…マウスピース、２９…保持孔、３０…ウェイト、２８２…窪み部。
【図１】
2014087683.tif 000003
【図２】
2014087683.tif 000004
【図３】
2014087683.tif 000005
【図４】
2014087683.tif 000006
【図５】
2014087683.tif 000007
【図６】
2014087683.tif 000008
【図７】
2014087683.tif 000009
【図８】
2014087683.tif 000010
【図９】
2014087683.tif 000011
【図１０】
2014087683.tif 000012
【図１１】
2014087683.tif 000013